(57)【要約】  【課題】  居住空間の空気に、オゾンの発生量は少なくしたマイナスイオンを放出し、環境状態を改善する。【解決手段】  装置本体の通気路にイオン化装置１を配備し、イオン化装置１は、オリフィス１２を介して通気路に連通する放電室１１と、オリフィス近傍に配備した第１電極１３と、第１電極に対向して放電室内に配備され第１電極との間に高電位差を形成する第２電極１４と、放電室に連通しイオン化すべき気体を加圧状態で放電室に供給する気体供給装置２とを備え、気体をオリフィスから噴出して、オゾンは制限しつつマイナスイオンを通気路に放出する。【選択図】    図５
2006288453.tif 000002
【特許請求の範囲】
【請求項１】
装置本体の通気路にイオン化装置を配備した空気処理装置に於いて、イオン化装置は、オリフィスを介して通気路に連通する放電室と、オリフィス近傍に配備した第１電極と、第１電極に対向して放電室内に配備され第１電極との間に高電位差を形成する第２電極と、放電室に連通しイオン化すべき気体を加圧状態で放電室に供給する気体供給装置とを備え、気体をオリフィスから噴出して、オゾンは制限しつつマイナスイオンを通気路に放出する空気処理装置。
【請求項２】
気体供給装置は、水を収容した貯水容器と、貯水容器中の水に圧縮空気を吹き込む空気ポンプとによって構成され、加湿された加圧気体を放電室に供給する、請求項１の空気処理装置。
【請求項３】
気体供給装置は、除菌、脱臭又はアレルゲン失活効果のある加湿した気体を加圧して放電室に供給する、請求項１の空気処理装置。
【請求項４】
気体供給装置は、除菌、脱臭又はアレルゲン失活効果のある有効物質を入れた収容容器と、収容容器を加熱する加熱手段とを備え、気化した加圧状態の有効物質蒸気を放電室に供給する、請求項３の空気処理装置。
【請求項５】
放電室は、放電室壁の外側から加熱手段によって加熱され、放電室内の結露を防止している、請求項１の空気処理装置。
【請求項６】
空気処理装置は、床用吸引具に連通し内部に集塵袋を有する集塵室と、集塵室を排気するファンとを備えた電気掃除機であって、装置本体の排気口又は排気口近傍にイオン化装置を配備している、請求項１ないし５のいずれかに記載の電気掃除機。
【請求項７】
電気掃除機は、排気口を装置本体下部に開口し、マイナスイオン混合空気流を床面近くに放出する、請求項１ないし６のいずれかに記載の電気掃除機。
【請求項８】
空気ポンプは、集塵室のフィルターにて浄化された空気を加圧して貯水容器に吹き込み加湿された加圧気体を放電室に送入する、請求項６または７に記載の電気掃除機。
【請求項９】
電気掃除機は、装置本体の両側壁に排気口を開設し、排気口周囲にそれぞれ環状車輪を配備した、請求項６ないし８のいずれかに記載の電気掃除機。
【請求項１０】
空気処理装置は、装置本体内部に配設され装置本体の流入口から外部空気を流入させる空気ファンと、空気ファンと流入口との間に配置され取り入れた空気を濾過するフィルタとを備えた空気清浄機であって、空気ファンによって吸引され放出される空気流の通気路中に、マイナスイオン化装置を配置している、請求項１ないし５のいずれかに記載の空気清浄機。
【請求項１１】
マイナスイオン化装置は、空気ファンの吹出し口またはその近傍に配置し、浄化空気にマイナスイオンを混合して放出する、請求項１０に記載の空気清浄機。
【請求項１２】
空気ポンプは、空気フィルターにて浄化された空気を加圧して貯水容器に吹き込み水分子混合の気体を放電室に送入する、請求項１０または１１に記載の空気清浄機。
【請求項１３】
空気処理装置は、装置本体内部に配設され外部空気を流入させる送風ファンと、送風ファンによって吸引され放出される空気流の通気路中に配置された熱交換機とを備えた空
気調和機であって、マイナスイオン化装置は装置本体の吹出し口またはその近傍に配置している、請求項１ないし５のいずれかに記載の空気調和機。
【請求項１４】
気体供給装置は、熱交換機で形成される凝結水を集めて貯水容器に補給する、請求項１３に記載の空気調和機。
【請求項１５】
気体供給装置は、除菌、脱臭又はアレルゲン失活効果のある有効物質を入れた収容容器を、熱交換機運転モーター、送風ファンモーターまたは空気ポンプモーターなどの発熱構造体に取り付け、構造体の発熱によって、有効物質を気化させる、請求項１３に記載の空気調和機。
【請求項１６】
空気処理装置は、冷蔵庫本体の庫内空気をファンによって循環させ、循環通気路に熱交換機を配備した冷蔵庫であって、通気路の空気吹出口にマイナスイオン化装置を配置し、オゾンを抑えマイナスイオンを庫内に循環させる、請求項１ないし５のいずれかに記載の冷蔵庫。
【請求項１７】
気体供給装置は、除菌、脱臭又はアレルゲン失活効果のある有効物質を入れた収容容器を、熱交換機運転モーター、空気循環用ファンモーターまたは空気ポンプモーターなどの発熱構造体に取り付け、構造体の発熱によって、有効物質を気化させる、請求項１６に記載の冷蔵庫。
【請求項１８】
気体供給装置は、熱交換機で形成される凝結水を集めて貯水容器に補給する、請求項１７に記載の冷蔵庫。
【請求項１９】
空気処理装置は、床吸込部と、床吸込部に連通するホースを接続して吸込空気流を旋回させる旋回室と、旋回室を排気するファンを具えたサイクロン式電気掃除機であって、床吸込部はイオン発生器を具え、旋回室には荷電フィルターを配備し、細かい埃は帯電させて、荷電フィルターによって吸引除去する、サイクロン式電気掃除機。
【請求項２０】
床用吸引具に連通し内部に集塵袋を有する集塵室と、集塵室を排気するファンとを具えた集塵袋式電気掃除機に於いて、集塵袋はろ過材で形成された袋の一部に、除菌、脱臭又はアレルゲン失活効果のある有効物質を配備している、集塵袋式電気掃除機。
【発明の詳細な説明】
【技術分野】
【０００１】
本発明は、電気掃除機、空気清浄機、空気調和機、冷蔵庫など、外部空気に濾過、加熱又は冷却などの処理を施すことにより、空気を環境に良好な状態となして外部に放出する空気処理装置に関するものである。
【背景技術】
【０００２】
電気掃除機は一般的に、床用吸引具から吸引した外部空気を集塵室にて除塵し、濾過空気を外部に放出するのみで、それ以上の処理は行っていない。近時、マイナスイオンが身体の健康に有効であることが注目され、マイナスイオン発生装置を室内に設置することによって、室内にマイナスイオンを拡散することが勧められている。
本願出願人は、電気掃除機の排気口にマイナスイオン発生器を配備する事により、電気掃除機による室内の清掃と同時に、室内に放出される排気にマイナスイオンを混合し、室内にマイナスイオンを拡散する電気掃除機を提案した（特許文献１）。
【０００３】
この電気掃除機は、ファンの運転によって、床の清掃を行うことによって、マイナスイオン発生器を設置することなく、室内にマイナスイオンを拡散できる利点はあった。しかし、この電気掃除機は、マイナスイオン発生器中の電極間に高電圧を加え、放電させることによって、マイナスイオンを発生するものであるから、マイナスイオンと同時にオゾンが発生して、室内のオゾン濃度を高めることが判明した。オゾンは、低濃度であれば、除菌作用が期待されて環境に有効であるが、所定濃度を超えると、オゾンは身体に害を及ぼす問題がある
【０００４】
近時、マイナスイオンを発生させ、それを製膜技術に利用する装置として、図５に示す構成が提案されている（特許文献２）。該装置は、容器の内部空間を、臨界オリフィスを通じて外部空間に連通し、臨界オリフィスの近傍に第１電極、第１電極に対向して、内部区間に第２電極を配備し、内部空間に所定物質の分子を含む気体を供給し、電極間に高圧電源によって所定電圧を印加する。気体分子はイオン化し、オリフィスから噴出し膨張してマイナスイオンのクラスターイオンとなる。このマイナスイオンを電界中で、ナノ粒子と混合して、ナノ粒子に付着させて帯電させ、被沈着部材表面に帯電ナノ粒子を堆積させて、製膜するものである。
【０００５】
この装置はマイナスイオンを多量に発生させることが出来るが、もっぱら製膜への実施のための装置であるから、これを空気処理又は居住環境の改善に実施可能か否かについては、開示はない。
【０００６】
【特許文献１】特開２００４−３４４５６９
【特許文献２】特開２００３−３２６１９２
【発明の開示】
【発明が解決しようとする課題】
【０００７】
マイナスイオンの発生を、電極間の放電によって行う方式の場合、マイナスイオンと同時にオゾンなどの活性酸素が生成され、これの発生量の問題が生じる。オゾンO3, 発生期の酸素Oは、フリーラジカルとして、身体への影響が問題とされている。発明者らは、マイナスイオンの生成と、オゾンの防止を研究したところ、特許文献２の装置は、気体分子はイオン化するが、オゾンの形成は低く抑えることを見い出し、この装置を室内環境の改善に用いることを着想した。
【課題を解決するための手段】
【０００８】
請求項１の発明は、装置本体の通気路にイオン化装置を配備した空気処理装置であって、イオン化装置は、オリフィスを介して通気路に連通する放電室と、オリフィス近傍に配備した第１電極と、第１電極に対向して放電室内に配備され第１電極との間に高電位差を形成する第２電極と、放電室に連通しイオン化すべき気体を加圧状態で放電室に供給する気体供給装置とを備え、気体をオリフィスから噴出して、オゾンは制限しつつマイナスイオンを通気路に放出するものである。
【０００９】
請求項２の発明は、イオン化装置における気体供給装置を、水を収容した貯水容器と、貯水容器中の水に圧縮空気を吹き込む空気ポンプとによって構成し、加湿された加圧気体を放電室に供給するものである。
【００１０】
請求項３の発明は、イオン化装置における気体供給装置が、除菌、脱臭又はアレルゲン失活効果のある加湿された気体を加圧して放電室に供給するものである。
【００１１】
請求項４の発明は、イオン化装置における気体供給装置が、除菌、脱臭又はアレルゲン失活効果のある有効物質を入れた収容容器と、収容容器を加熱し、有効物質を加熱蒸発させる加熱手段と、気化した有効物質蒸気を加圧するポンプとによって構成し、除菌、脱臭又はアレルゲン失活効果のある気体物質を加圧して放電室に供給するものである。
【００１２】
請求項５の発明は、イオン化装置の放電室を、放電室壁の外側から加熱手段によって加熱し、放電室内の結露を防止するものである。
【００１３】
請求項６ないし９の発明は、床用吸引具に連通し内部に集塵バッグを有する集塵室と、集塵室を排気するファンとを備えた電気掃除機であって、装置本体の排気口又は排気口近傍にイオン化装置を配備し、掃除機の排出空気流にマイナスイオン又はマイナスイオン化された、除菌、脱臭又はアレルゲン失活効果のある有効物質を混合しオゾンの濃度は低く抑えて、室内に放出するものである。
【００１４】
請求項１０ないし１２の発明は、装置本体の流入口から外部空気を流入させる空気ファンと、空気ファンと流入口との間に配置され取り入れた空気を濾過するフィルタとを備えた空気清浄機であって、空気ファンによって吸引された空気流の通気路中に、マイナスイオン化装置を配置し、空気清浄機の排出空気流にマイナスイオン又はマイナスイオン化された、除菌、脱臭又はアレルゲン失活効果のある有効物質を混合しオゾンの発生量は低く抑えて、室内に放出するものである。
【００１５】
請求項１３ないし１５の発明は、外部空気を装置本体内部流入させる送風ファンと、送風ファンによって吸引された空気流の通気路中に配置された熱交換機とを備えた空気調和機であって、マイナスイオン化装置は、装置本体の吹出し口またはその近傍に配置して、吹出空気流にマイナスイオン又はマイナスイオン化された、除菌、脱臭又はアレルゲン失活効果のある有効物質を混合しオゾンの発生量は低く抑えて、室内に放出するものである。
【００１６】
請求項１６ないし１８の発明は、庫内空気をファンによって循環させ、循環通気路に熱交換機を配備した冷蔵庫であって、通気路の空気吹出口にマイナスイオン化装置を配置し、オゾンの発生量を低く抑えマイナスイオン又はマイナスイオン化された、除菌、脱臭又はアレルゲン失活効果のある有効物質を庫内に循環させるものである。
【発明の効果】
【００１７】
本発明に於いて、イオン化装置によってマイナスイオンは多量に形成するのに対し、オゾン発生量は低く抑えることができる理由は、必ずしも明らかでないが、気体供給装置がイオン化すべき分子の気体を加圧状態で放電室に供給することによって、放電室内では、気体分子密度が高まっている。そのため第１，第２電極間は、大気圧状態の場合よりも電気抵抗値が高く、アーク放電は起こりにくい状態である。電極間の電位差は一定にして、気体供給装置が放電室に供給する気体圧力を変えると、気体圧力が高まるにつれて、オゾン発生量は低下していることから、上記の推定がなされる。
【００１８】
請求項２の気体供給装置は、貯水容器に空気を吹き込むバブリングによって、水分子を含む空気を放電室に送り、イオン化装置によって水分子のマイナスイオンを多量に発生するから、居住空間の湿度を下げることなく、安定して室内にマイナスイオンを散布して環境を改善できる。また室内に浮遊している埃を凝集して床に降下させることが出来る。
【００１９】
請求項３および４の気体供給装置は、マイナスイオン化すべき精油成分、ヒノキチオールなど、除菌、脱臭、アレルゲン失活物質などの物質を加熱手段によって熱っし、気化させてイオン化装置に供給することにより、オリフィスから噴出する際、断熱膨張してマイナスイオン化したナノサイズの液滴として室内に散布することが出来る。
【００２０】
請求項５の放電室は、加熱手段によって加熱されているので、蒸気を含んだ気体が冷やされて結露することはない。
【００２１】
請求項６の電気掃除機は、電気掃除機が部屋をまんべんなく移動して除塵と同時に清浄空気を室内に放出する点を利用して、マイナスイオンを放散し、所望により同時に、除菌、脱臭、防虫、アレルゲン失活などの効果を持つ物質をナノサイズのマイナスイオンとして放散し、居住空間の快適性を向上するとともに、微細な埃を凝集して床に降下させ、部屋の空気を浄化することが出来る。
【００２２】
請求項７の電気掃除機は、マイナスイオンや、マイナスイオン化したアロマなどの有効成分の混合流を絨毯、フローリングなど床面近くに放出することにより、単に広い部屋空間に噴霧するよりも少ない噴霧量で、噴霧した床面の局所で、防ダニ、除菌、アレルゲン失活効果を高めることができる。
【００２３】
請求項８の電気掃除機は、電気掃除機が有するフイルターによって浄化した空気を貯水容器のバブリングに利用するから、イオン化装置に不純物の侵入を防止し、オリフィスの目詰まりを防止できる。
【００２４】
請求項９の電気掃除機は、排気口を装置本体の両側、しかも各環状車輪の中央に開設することにより、排気面積を拡大して排気流の勢いを弱めるから、床に降下した埃を排気が吹き上げる事は防止できる。
【００２５】
請求項１０および１１の空気清浄機は、マイナスイオンを放散し、所望により同時に、除菌、脱臭、防虫、アレルゲン失活などの効果を持つ物質をマイナスイオン化して放散するから、部屋の空気を浄化し居住空間の快適性を向上する。マイナスイオンに微細な埃が付着しやすく埃を凝集し、自重や電気的作用によって床に降下して、床に対してこれら有効成分の機能を効果的に働かせる。
【００２６】
請求項１２の空気清浄機は、空気清浄機が有するフイルターによって浄化した空気を貯水容器のバブリングに利用するから、イオン化装置に不純物の侵入を防止し、オリフィスの目詰まりを防止できる。
【００２７】
請求項１３および１５の空気調和機は、イオン化装置によって水分子のマイナスイオンを多量に発生するから、居住空間の湿度を下げることなく、安定して室内にマイナスイオンを散布して環境を改善できる。また、所望により同時に除菌、脱臭、防虫、アレルゲン失活などの効果を持つ物質をマイナスイオン化し放散するから、部屋の空気を浄化し、居住空間の快適性を向上する。マイナスイオンは室内に浮遊している微細な埃に付着しやすく埃を凝集し、自重や電気的作用によってマイナスイオンは床に降下して、床に対してこれら有効成分の機能を効果的に働かせることができる。
【００２８】
請求項１４の空気調和機は、運転に伴って生じる結露水を、マイナスイオン化すべきバブリングの補給水に利用するから、結露水処理と、貯水容器の水補給が同時に出来て、便利である。
【００２９】
請求項１６および１７の空気調和機は、イオン化装置によって水分子のマイナスイオンを多量に発生するから、庫内の湿度を下げることなく、安定して庫内にマイナスイオンを充満させ、貯蔵する食品の鮮度を保つことが出来る。所望により同時に除菌、脱臭、アレルゲン失活などの効果を持つ物質をマイナスイオン化して放散することにより、庫内を衛生的に保つことができる。しかも本発明のマイナスイオン化装置は、オゾンの発生量は低いから、扉を開けた際に、庫内から流れ出るオゾンは少なく、使用者の健康と安全を守ることが出来る。
【００３０】
請求項１８の冷蔵庫は、運転に伴って生じる結露水を、マイナスイオン化すべきバブリングの補給水に利用するから、結露水処理と貯水容器の水補給が同時に出来て、便利である。
【発明を実施するための最良の形態】
【００３１】
空気処理装置は、装置本体に取り入れた空気を除塵、除塵、濾過、加熱又は冷却などの処置を加え、さらに取り入れた空気の通気路にマイナスイオン化装置によるマイナスイオンを混合して清浄な空気となし、居住空間、又は庫内空間に放出して環境状態を改善するものである。空気処理装置は、その目的によって、電気掃除機、空気清浄機、空気調和機、電気冷蔵庫がある。
【００３２】
マイナスイオン化装置は、図５に示す通り、絶縁材料で作られたハウジングによって密閉した放電室空間を形成し、該放電室は、一方の壁に開設した内径が０．１〜０．４mｍのオリフィスを通じて、外部空間に連通している。オリフィスを開設した放電室の壁内面には、オリフィスに接近して第１電極１３が配置され、放電室空間には、第１電極から所定距離だけ離れて針状の第２電極１４がオリフィスと同一線上に配置されている。第１電極は接地し、第２電極には高電圧電源を接続して、電極間に直流の高電圧（例えばー６KV)が加えられる。オリフィスは臨界オリフィスであって、オリフィスの外側は、断熱部材で形成され内面を拡大したディフューザが配置されている。
【００３３】
放電室には気体供給装置が接続され、マイナスイオン化すべき分子の気体が空気ポンプによって加圧状態で供給される。図５に示す気体供給装置は、水のバブリングによって、水分子の気体を放電室へ供給する構成を示している。密閉された貯水容器に水が収容されており、空気ポンプにつながった空気供給管が、貯水容器を気密に貫通し、先端を貯水容器の底まで延長して、圧力空気を水中に吹き込んでいる。空気は泡となって水面で弾け、貯水容器中の水面の上部を水蒸気によって満たしている。貯水容器上部は、気体供給管を介して放電室に気密に連通し、水蒸気を含む加圧空気を放電室に供給し、放電室空間を所定の圧力（０．５〜２kg/cm2)で満たす。圧力が０．５kg/cm2よりも下がりすぎると、電極間でアーク放電が起こりやすくなり、オゾン発生量が増える。圧力が２kg/cm2を越えすぎると、高圧すぎて装置各部は圧力に耐えるように強度を上げねばならず、重量、価格が増して家庭用には好ましくない。
【００３４】
放電室は、第１，第２電極間に高電圧が加えられているが、加圧された室内は気体分子の密度が高くアーク放電は起こらず、第２電極の針先端と第１電極との間でコロナ放電し、放電室を満たしている気体分子をマイナスイオン化する。オリフィスからは、マイナスイオン化した分子イオンのジェットが噴出し、ディフューザで断熱膨張すると、イオン化された分子の周りにイオン化されていない分子が凝集し、マイナスの電荷をもったナノサイズの液滴を形成する。そしてこの液滴が空気中に放出されて、空気中に浮遊している埃を凝集して床へ降下し、空気を清浄化する。
【００３５】
貯水容器の水には、必要に応じて、除菌、防臭、アロマゲン失活効果のある有効物質を溶かして、これら有効物質を水分子と混合して、放電室に供給してもよい。あるいは、図５に示す気体供給装置とは別に、有効物質を収容した容器（図示せず）を放電室に接続し、収容容器を加熱手段にて熱して有効物質を気化させ、収容容器に接続した空気ポンプによって、有効物質の気体分子を放電室に加圧送入しても良い。
【実施例１】
【００３６】
図１及び図２は、本発明を集塵袋式電気掃除機に実施した例を示すものである。掃除機の装置本体は、床吸引具ホース接続口に集塵袋を着脱可能に配備している。集塵袋下流に、保護カバーを介して吸込み用ファンとファンモータを配備し、ファンからの吹き出し空気の一部は循環通路及びホースの２重管の間の通路を経て、床吸い込み口に戻る。ファンモーター上に気体供給装置の貯水容器が置かれ、空気ポンプの空気供給管が貯水容器に挿入されている。貯水容器から延びる気体供給管は、装置下部に配置したマイナスイオン化装置の放電室に接続される。ファンモータは、発熱構造物であるから、運転時に発生するモーター熱は貯水容器を加温し、容器中の水、アロマなど、イオン化すべき物質を気化させる。吸込み用ファンの吹き出し空気の大部分は、保護カバーを経てマイナスイオン化装置からのマイナスイオンジェットを混合し、排気流は装置本体の両側に分かれ、両側壁に開設された排気口を経て、排気口の周縁に回転自由に支持された環状車輪の中央から外部空間に排出される。フィルターを排気口または環状車輪の中央に設け、排気は濾過して、床に近い低位置で放出され、居住空間の埃を吸着すると共に、速やかに床に降下する。有効物質をイオン化した場合には、絨毯の除菌、脱臭を効果的に行う。車輪中央の空間を排気口としているから、排気面積は広がり排気流速の勢いを弱め、床の埃の吹き上げは起こさない。
【実施例２】
【００３７】
図３及び図４は本発明をサイクロン式電気掃除機に実施した例である。吸い込み用ファンと、床吸込み具ホースの接続口の間に、フィルターを介してサイクロン式集塵ユニットが、着脱可能に配備されている。吸い込み用ファンの排気流は、装置本体の後壁に設けた排気口から、斜め上向きに放出される。吸い込み用ファンの側方に、マイナスイオン化装置および、気体供給装置の空気ポンプと貯水容器が配置され、空気ポンプから下向きに延びる空気供給管が、貯水容器の水中に空気を吹き込み、貯水容器の上部とマイナスイオン化装置の放電室の間を気体供給管でつなぎ、水分子を含む加圧空気を放電室に供給している。放電室のオリフィスからマイナスイオンの微小粒子が排気流と同じく、斜め上向きに放出され、排気流に引き寄せられて混合し、居住空間に浮遊している埃などを付着して、床へ降下し、室内空気を浄化する。
【実施例３】
【００３８】
図６ないし図８は、本発明を空気清浄機５に実施した例である。装置本体５０の正面両側に、空気取入れ口５１、上面に吹出し口５５を開設し、装置本体内部に配備したファン５３を、モーター５４によって運転することにより、室内の空気を取入れ口５１から流入させ、装置本体の内部に配備したフィルター５２によって除塵、除菌、脱臭をし、吹出し口５５から吹き出して、室内に戻す。装置本体の下部に空気ポンプ２０、吹出し口５５の近くにマイナスイオン化装置１を配置し、側方に気体供給装置の貯水容器２１を配置している。空気ポンプ２０によって、圧縮空気を貯水容器２１に貯められた水中に吹き込む。貯水容器２１とマイナスイオン化装置１の間は、気体供給管２４によってつながれており、水分子を含む加圧空気を、マイナスイオン化装置１の放電室に送っている。空気清浄機５に取り入れられた空気は、従来の空気清浄機と同様に、空気フィルター５２による濾過を行われるが、更に、吹出し口５５近傍に配置されたマイナスイオン化装置１から放出されるマイナスイオン又はマイナスイオン化された、除菌、脱臭又はアレルゲン失活効果のある有効物質が混合することによって、除菌、脱臭、アレルゲンの失活等の処理が施されて、室内空気は浄化出来る。
【実施例４】
【００３９】
図９及び図１０は、本発明を空気調和機６に実施した例である。装置本体６０は、空気取入れ口６１にフィルター６２を具え、装置本体内部にファン６４、熱交換器６３を配置し、取入れ口６１から流入した空気流は、フィルター６２で濾過され、熱交換器６３において、設定温度に加熱または冷却された後、送風フラップ６５に案内されて、吹出し口６７から室内に放出している。吹出し口６７近傍に、マイナスイオン化装置１が配置されており、ファンカバーの裏側に空気ポンプ２０、貯水容器２１を含む気体供給装置２が設置され、加圧された気体分子を、気体供給管２４を通じて、マイナスイオン化装置１の放電室１１に供給している。マイナスイオン化装置１は、オゾン発生量を低く抑えたマイナスイオン又はマイナスイオン化された、除菌、脱臭又はアレルゲン失活効果のある有効物質を空気流に乗せて散布するから、温度調節ばかりでなく、除塵、除菌、アレルゲン失活が加わり、室内の空気は、身体の健康と生理機能の回復に一層好ましい状態に改善できるのである。
【００４０】
空気調和機においては、熱交換器において、凝縮水が生成されるから、これをドレンパン６６に集めて、処理する必要がある。本発明においては、ドレンパン６６に溜まった凝縮水は、空気供給装置の貯水容器２１へ補給し、水分子イオン生成の原料とすることができる。ドレンパン６６の凝縮水を貯水容器２１に補給する構成は、任意であって、例えば、貯水容器２１に水補給用の電磁弁(図示せず)を介して、ドレンパン６６に給水管をつなぎ、常時は、電磁弁を閉じて運転するが、給水時は、空気ポンプ２０を止めて、貯水容器の圧力を大気圧に戻し、電磁弁を開いて、凝縮水を貯水容器に流入させてもよい。
【実施例５】
【００４１】
図１１ないし図１３は、本発明を電気冷蔵庫７に実施した例を示すものである。
【００４２】
電気冷蔵庫は、装置本体７０の正面に扉７１を具え、食品などを収納する密閉空間を形成し、背面パネルと断熱壁との間に形成される循環ダクト中に冷却器７２、ファン７３を具え、ダクト下端の取入れ口７４から流入した空気を冷却処理し、吹出し口７５から、放出して庫内を循環させている。本発明においては、吹出し口７５近傍に、マイナスイオン化装置１を配置し、循環ダクト内に、空気ポンプ２０、貯水容器２１からなる気体供給装置２を配備し、水分子を含む圧力空気を気体供給管２４によってマイナスイオン化装置１へ供給し、庫内に吹き出される冷気中に、マイナスイオン分子を混合させて、庫内を循環させるのである。冷却器７２の下方には、除霜用ヒーター７６及び結露水を集める集水器７９を配置し、集水器７９は、結露水を集めて、結露水タンク７７に流入させ、結露水を貯水タンクの水の補給用に利用するものである。結露水タンク７７の水は、電磁弁７８を介して、貯水容器２１へ適時給水される。
【実施例６】
【００４３】
図１４ないし図１８は、サイクロン式電気掃除機８である。集塵ユニット４１には、荷電フィルター８０が旋回室の下流に配備されている。掃除機の床吸込部には、放電型、イオン発生物質の配備等、任意形式のイオン発生器８２が設けられ、床から吸い込んだ空気流にイオンを混合させ、床吸込部８１から掃除機８までのダクト８３を通過するまでの間に、吸込空気に含まれている細かい埃は、帯電する。
【００４４】
サイクロン式掃除機において集塵ユニットは公知構造であって、ファン８５によって吸引された空気中の大きな埃は、遠心力によって高性能に除去される。ところが、空気中に浮遊する細かな埃は、遠心力作用が余り働かないため、遠心力によって除去することは困難である。そこで、集塵ユニットの吹出し口に設けるフィルター８４は、細かな埃に対応できる細かなメッシュとし、その為、空気抵抗を高めていた。本案では、流入する空気にイオンを混合し、細かな埃を帯電させるから、荷電フィルター８０による静電気作用によって吸引され、容易に除去できる。したがって、サイクロン式電気掃除機の弱点であった細かな埃に対しても有効に機能し、吹出し口のフィルターのメッシュは細かくする必要がないから、空気抵抗は小さく、ファン８５の電力消費が節約できるなど、多くの利点がある。
【実施例７】
【００４５】
図１９の集塵袋は、図１または従来の集塵袋式電気掃除機に使用できるものであって、濾過材で形成された袋の一部に除菌、脱臭、アレルゲン失活効果等のある有効物質を配備している。掃除機から吹き出される排気流に含まれる有効物質が空気に作用して、室内空気を浄化し、居住空間の改善に有効である。
【図面の簡単な説明】
【００４６】
【図１】集塵袋式電気掃除機の正面断面図である。
【図２】図１のA-A線に沿う断面図である。
【図３】サイクロン式電気掃除機の平面断面図である。
【図４】図３のA-A線に沿う断面図である。
【図５】マイナスイオン化装置と気体供給装置の原理を示す説明図である。
【図６】空気清浄機の斜視図である。
【図７】図６のA-A線に沿う断面図である。
【図８】図６のA-A線に沿う断面図である。
【図９】空気調和機の正面断面図である。
【図１０】空気調和機の内部構造を示す斜面図である。
【図１１】電気冷蔵庫の一部破断正面図である。
【図１２】電気冷蔵庫背面ダクトを示す正面図である。
【図１３】冷蔵庫の一部拡大断面図である。
【図１４】サイクロン式電気掃除機の正面断面図である。
【図１５】集塵ユニットの正面図である。
【図１６】サイクロン式電気掃除機の集塵ユニットを取り出した状況を示す斜面図である。
【図１７】集塵ユニットを取り出した状況を示す集塵ユニットの斜面図である。
【図１８】床吸い込み具の断面図である。
【図１９】集塵バッグの断面図である。
【符号の説明】
【００４７】
１    マイナスイオン化装置
１１  放電室
１２  オリフィス
１３  第１電極
１４  第２電極
２    気体供給装置
２０  空気ポンプ
２１  貯水容器
２２  空気供給管
２４  気体供給管
３    集塵袋式電気掃除機
３１  集塵袋
３９  環状車輪
４    サイクロン式電気掃除機
４１  集塵ユニット
５    空気清浄機
５３  フイルター
６    空気調和機
６３  熱交換機
７    電気冷蔵庫
７２  冷却器
８    サイクロン式電気掃除機
８０  荷電フィルター
８２  イオン発生器
９    集塵袋
９２  有効物質
【図１】
2006288453.tif 000003
【図２】
2006288453.tif 000004
【図３】
2006288453.tif 000005
【図４】
2006288453.tif 000006
【図５】
2006288453.tif 000007
【図６】
2006288453.tif 000008
【図７】
2006288453.tif 000009
【図８】
2006288453.tif 000010
【図９】
2006288453.tif 000011
【図１０】
2006288453.tif 000012
【図１１】
2006288453.tif 000013
【図１２】
2006288453.tif 000014
【図１３】
2006288453.tif 000015
【図１４】
2006288453.tif 000016
【図１５】
2006288453.tif 000017
【図１６】
2006288453.tif 000018
【図１７】
2006288453.tif 000019
【図１８】
2006288453.tif 000020
【図１９】
2006288453.tif 000021